(57)【要約】 【課題】  無線通信ネットワークにおいて接続を確立できないＵＥ（ユーザー端末）のインスタンスをロギングする方法と装置を提供する。【解決手段】  接続を確立できないＵＥ（ユーザー端末）のインスタンスをロギングする方法であって、エラーログで、第１の原因によって生じた第１のＲＲＣ（無線リソース制御）接続の確立手順の失敗をログし、且つ第２の原因によって生じた第２のＲＲＣ接続の確立手順の失敗をロギングしないステップを含む方法。【選択図】  図５
2013223248.tif 000002
【特許請求の範囲】
【請求項１】
接続を確立できないＵＥ（ユーザー端末）のインスタンスをロギングする方法であって、
エラーログで、第１の原因によって生じた第１のＲＲＣ（無線リソース制御）接続の確立手順の失敗をログし、且つ第２の原因によって生じた第２のＲＲＣ接続の確立手順の失敗をロギングしないステップを含む方法。
【請求項２】
前記第１の原因は、１つ以上の原因を含み、（ｉ）前記第１のＲＲＣ接続の確立手順期間にタイマーＴ３００がタイムアウトする、（ｉｉ）前記ＵＥがキャンプオンしているセルへのアクセスが禁止されている、（ｉｉｉ）前記第１のＲＲＣ接続の確立手順期間にセル再選択が発生する、および／または（ｉｖ）ＲＲＣ接続要求メッセージを送信する再試行が特定値に達するのを含む請求項１に記載の方法。
【請求項３】
前記エラーログで、（ｉ）前記第１のＲＲＣ接続の確立手順に対応するランダムアクセス（ＲＡ）手順内のプリアンブル伝送数、（ｉｉ）接続確立の原因、（ｉｉｉ）アクセス禁止に関するタイマーの状態（動作中かどうか）、（ｉｖ）一種のアクセス禁止の適用性、（ｖ）前記セル再選択のターゲットセル、および／または（ｖｉ）前記ＵＥの移動性を含む１つ以上の情報をロギングするステップ、および
前記ログされた情報を前記第１のＲＲＣ接続の確立の失敗の前記エラーログと連結させるステップを更に含む請求項２に記載の方法。
【請求項４】
前記特定の値に達するかどうかは、Ｖ３００がＮ３００より大きいかどうかによって決まる請求項２に記載の方法。
【請求項５】
１つ以上の動作を含む前記第１のＲＲＣ接続の確立手順の失敗のロギングは、（ｉ）前記第１の原因をロギングする、（ｉｉ）前記ＵＥの詳細な位置情報をロギングする、（ｉｉｉ）前記第１のＲＲＣ接続の確立手順が接続を試みるセルの情報（例えばセルＩＤ）をロギングする、（ｉｖ）タイムスタンプをロギングする、および／または（ｖ）前記エラーログがＲＲＣ接続の確立手順用であるかの指示をロギングするステップを含む請求項１に記載の方法。
【請求項６】
前記第２の原因は、１つ以上の原因を含み、（ｉ）前記ＵＥがキャンプオンしているセルへのアクセスが禁止されている、（ｉｉ）前記第２のＲＲＣ接続の確立手順期間にセル再選択が発生する、（ｉｉｉ）第２のＲＲＣ接続の確立手順のＲＲＣＣｏｎｎｅｃｔｉｏｎＲｅｊｅｃｔメッセージを受信する、および／または（ｉｖ）ＲＲＣ接続拒否メッセージに含まれるゼロ（０）の値の情報要素「待ち時間」を受信するステップを含む請求項１に記載の方法。
【請求項７】
前記アクセス禁止は待ち時間（例えば、タイマーＴ３０２が動作している）による請求項６に記載の方法。
【請求項８】
接続を確立できないＵＥ（ユーザー端末）のインスタンスをロギングする通信装置であって、前記通信装置は、
制御回路、
前記制御回路に設置されたプロセッサ、および
前記制御回路に設置され、前記プロセッサに選択的に接続されたメモリを含み、
前記プロセッサは、メモリに保存されたプログラムコードを実行し、接続を確立できないＵＥ（ユーザー端末）のインスタンスをロギングするように構成され、
エラーログで、第１の原因によって生じた第１のＲＲＣ（無線リソース制御）接続の確立手順の失敗をログし、且つ第２の原因によって生じた第２のＲＲＣ接続の確立手順の失敗をロギングしない通信装置。
【請求項９】
前記第１の原因は、１つ以上の原因を含み、（ｉ）前記第１のＲＲＣ接続の確立手順期間にタイマーＴ３００がタイムアウトする、（ｉｉ）前記ＵＥがキャンプオンしているセルへのアクセスが禁止されている、（ｉｉｉ）前記第１のＲＲＣ接続の確立手順期間にセル再選択が発生する、および／または（ｉｖ）ＲＲＣ接続要求メッセージを送信する再試行が特定値に達するのを含む請求項８に記載の通信装置。
【請求項１０】
前記エラーログで、（ｉ）前記第１のＲＲＣ接続の確立手順に対応するランダムアクセス（ＲＡ）手順内のプリアンブル伝送数、（ｉｉ）接続確立の原因、（ｉｉｉ）アクセス禁止に関するタイマーの状態（動作中かどうか）、（ｉｖ）一種のアクセス禁止の適用性、（ｖ）前記セル再選択のターゲットセル、および／または（ｖｉ）前記ＵＥの移動性を含む１つ以上の情報をロギングするステップ、および
前記ログされた情報を前記第１のＲＲＣ接続の確立の失敗の前記エラーログと連結させるステップを更に含む請求項９に記載の通信装置。
【請求項１１】
前記特定の値に達するかどうかは、Ｖ３００がＮ３００より大きいかどうかによって決まる請求項９に記載の通信装置。
【請求項１２】
１つ以上の動作を含む前記第１のＲＲＣ接続の確立手順の失敗のロギングは、（ｉ）前記第１の原因をロギングする、（ｉｉ）前記ＵＥの詳細な位置情報をロギングする、（ｉｉｉ）前記第１のＲＲＣ接続の確立手順が接続を試みるセルの情報（例えばセルＩＤ）をロギングする、（ｉｖ）タイムスタンプをロギングする、および／または（ｖ）前記エラーログがＲＲＣ接続の確立手順用であるかの指示をロギングするステップを含む請求項８に記載の通信装置。
【請求項１３】
前記第２の原因は、１つ以上の原因を含み、（ｉ）前記ＵＥがキャンプオンしているセルへのアクセスが禁止されている、（ｉｉ）前記第２のＲＲＣ接続の確立手順期間にセル再選択が発生する、（ｉｉｉ）第２のＲＲＣ接続の確立手順のＲＲＣＣｏｎｎｅｃｔｉｏｎＲｅｊｅｃｔメッセージを受信する、および／または（ｉｖ）ＲＲＣ接続拒否メッセージに含まれるゼロ（０）の値の情報要素「待ち時間」を受信するステップを含む請求項８に記載の方法。
【請求項１４】
前記アクセス禁止は待ち時間（例えば、タイマーＴ３０２が動作している）による請求項１３に記載の通信装置。
【発明の詳細な説明】
【技術分野】
【０００１】
本発明は、無線通信ネットワークに関し、特に、無線通信ネットワークにおいて接続を確立できないＵＥ（ユーザー端末）のインスタンスをロギングする方法と装置に関するものである。
【背景技術】
【０００２】
移動通信装置と大量のデータとの通信の需要急増に伴い、従来の携帯音声通信ネットワークは、インターネットプロトコル（ＩＰ）データパケットと通信するネットワークに進化している。このようなＩＰデータパケットの通信は、移動通信装置のユーザーをボイスオーバーＩＰ、マルチメディア、マルチキャスト、およびオンデマンド通信サービスに提供することができる。
【０００３】
現在標準化が行われている例示的なネットワーク構造は、発展型汎用地上無線アクセスネットワーク（Ｅ−ＵＴＲＡＮ）である。Ｅ−ＵＴＲＡＮシステムは、上述のボイスオーバーＩＰおよびマルチメディアサービスを実現するために高データスループットを提供することができる。Ｅ−ＵＴＲＡＮシステムの標準化作業は、現在３ＧＰＰ標準化機構によって実行される。よって、３ＧＰＰ規格を進化させ完成させるために、３ＧＰＰ標準化の現在の機構への変更が現在提出されて考慮されている。
【発明の概要】
【発明が解決しようとする課題】
【０００４】
無線通信ネットワークにおいて接続を確立できないＵＥ（ユーザー端末）のインスタンスをロギングする方法と装置を提供する。
【課題を解決するための手段】
【０００５】
方法および装置は、無線通信ネットワークにおいて接続を確立できないＵＥ（ユーザー端末）のインスタンスをロギングするのが表されている。前記方法は、エラーログで、第１の原因によって生じた第１のＲＲＣ（無線リソース制御）接続の確立手順の失敗をログし、且つ第２の原因によって生じた第２のＲＲＣ接続の確立手順の失敗をロギングしないことができる。
【図面の簡単な説明】
【０００６】
【図１】１つの例示的な実施形態に基づいた無線通信システムの図を表している。
【図２】１つの例示的な実施形態に基づいた送信機システム（アクセスネットワークとしても知られる）および受信機システム（ユーザー端末またはＵＥとしても知られる）のブロック図である。
【図３】１つの例示的な実施形態に基づいた通信システムの機能的なブロック図である。
【図４】１つの例示的な実施形態に基づいた図３のプログラムコードの機能的なブロック図である。
【図５】１つの例示的な実施形態に基づいたフローチャートである。
【発明を実施するための形態】
【０００７】
以下に述べられる例示的な無線通信システムおよび装置は、無線通信通信システムを用いて、放送サービスをサポートする。無線通信システムは、例えば、音声、データなどの各種のタイプの通信を提供するのに広く用いられている。これらのシステムは、符号分割多重接続（ＣＤＭＡ）、時分割多元接続（ＴＤＭＡ）、直交周波数分割多重化（ＯＦＤＭＡ）、３ＧＰＰロングタームエボルーション（ＬＴＥ）無線アクセス、３ＧＰＰロングタームエボリューションアドバンスト（ＬＴＥ−Ａ）またはＬＴＥ−Ａｄｖａｎｃｅｄ、３ＧＰＰ２  ウルトラモバイルブロードバンド（ＵＭＢ）、ワイマックス（ＷｉＭａｘ）、またはいくつかの他の変調技術に基づくことが可能である。
【０００８】
特に、以下叙述された例示的な無線通信システム装置は、１つ以上の標準、例えばここでは３ＧＰＰと称する「第３世代移動体通信システムの標準化プロジェク  ト」  という名称のコンソーシアムによって提供される標準を支援するように制定されることができ、文書番号ＲＰ−１２０２７７、「Enhancement  of  Minimization  of  Drive  Tests  for  E-UTRAN  and  UTRAN」；  Ｒ２−１２０５０７、「Accessibility  measurements  for  MDT」,  Ericsson,  ST-Ericsson；  Ｒ２−１２１５９８、「Report  e-mail  discussion  [77#23]  -  Joint:  MDT  Accessibility  Measurements」,  Ericsson；  ＲＡＮ２−７７ｂｉｓ会議記録（http://www.3gpp.org/ftp/tsg_ran/WG2_RL2/TSGR2_77bis/Report/R2-123095.zipを参照下さい）；  ＴＳ３６.３３１  Ｖ１０.５.０、「E-UTRA  RRC  protocol  specification  (Release  10)」；ＴＳ３６.３０４  Ｖ１０.５.０、「UE  procedures  in  idle  mode」；  およびＴＳ２５.３３１  Ｖ１０.７.０、「RRC  protocol  specification  (Release  10)」を含む標準をサポートするように設計されることができる。上述の標準および文書は、ここに明示的に組み込まれる。
【０００９】
図１は、本発明の１つの実施形態に基づいた多重アクセス無線通信システムの図を表している。アクセスネットワーク１００（ＡＮ）は、１つが１０４と１０６、もう１つが１０８と１１０、またもう１つが１１２と１１４を含む多重アンテナグループを含む。図１では、２つのアンテナのみが各アンテナグループに表されているが、しかしながら、それより多い、または少ないアンテナが各グループアンテナに用いられてもよい。アクセス端末（ＡＴ）１１６は、アンテナ１１２および１１４と通信し、アンテナ１１２および１１４は、フォワードリンク１２０によって情報をアクセス端末１１６に送信し、リバースリンク１１８によって情報をアクセス端末１１６から受信する。アクセス端末（ＡＴ）１２２は、アンテナ１０６および１０８と通信し、アンテナ１０６および１０８は、フォワードリンク１２６によって情報をアクセス端末（ＡＴ）１２２に送信し、リバースリンク１２４によって情報をアクセス端末（ＡＴ）１２２から受信する。周波数分割複信（ＦＤＤ）システムでは、通信リンク１１８、１２０、１２４、および１２６は、異なる周波数を用いて通信してもよい。例えば、フォワードリンク１２０は、リバースリンク１１８で用いられる周波数と異なる周波数を用いることができる。
【００１０】
アンテナの各グループのおよび／または通信用に設計された領域は、通常、アクセスネットワークのセクタと呼ばれる。実施形態では、各々のアンテナのグループは、アクセスネットワーク１００によって覆われた領域のセクタのアクセス端末と通信するように設計されている。
【００１１】
フォワードリンク１２０および１２６を用いる通信では、アクセスネットワーク１００の送信アンテナは、異なるアクセス端末１１６および１２２のフォワードリンクの信号対雑音比を改善するためにビーム形成を用いることができる。また、ビーム形成を用いてその受信可能範囲中にランダムに分散されたアクセス端末に送信するアクセスネットワークは、単一のアンテナによって全てのそのアクセス端末に送信するアクセスネットワークよりも隣接のセルに位置するアクセス端末に対して干渉を低減する。
【００１２】
アクセスネットワーク（ＡＮ）は、端末と通信するのに用いられる固定局または基地局であることができ、アクセスポイント、ノードＢ（Ｎｏｄｅ  Ｂ）、基地局、エンハンスド（ｅｎｈａｎｃｅｄ）基地局、エンハンスドノードＢ（ｅＮｏｄｅ  Ｂ）、またはいくつかの他の技術用語で呼ばれることもできる。アクセス端末（ＡＴ）は、ユーザー端末（ＵＥ）、無線通信装置、端末、アクセス端末、またはいくつかの他の技術用語で呼ばれることもできる。
【００１３】
図２は、多入力多出力（ＭＩＭＯ）システム２００内の送信機システム２１０（アクセスネットワークとも知られる）および受信機システム２５０（アクセス端末（ＡＴ）またはユーザー端末（ＵＥ）とも知られる）の実施形態の簡略ブロック図である。送信機システム２１０では、複数のデータストリームのトラフィックデータは、データソース２１２から伝送（ＴＸ）データプロセッサ２１４に提供される。
【００１４】
１つの実施形態では、各データストリームは、各々の伝送アンテナによって伝送される。ＴＸデータプロセッサ２１４は、そのデータストリーム用に選択された特定の符号化方法に基づいて各データストリームのトラフィックデータをフォーマット化し、符号化して、インターリーブし、符号化されたデータを提供する。
【００１５】
各データストリームの符号化されたデータは、直交周波数分割多重（ＯＦＤＭ）技術を用いてパイロットデータと多重化されることができる。パイロットデータは、既知の方式で処理される一般的に知られるデータパターンであり、受信機システムに用いられてチャネル応答を推定することができる。各データストリームの多重化されたパイロットデータおよび符号化されたデータは、次いで、そのデータストリーム用に選択された特定の変調方法（例えば、ＢＰＳＫ、ＱＰＳＫ、Ｍ−ＰＳＫ、またはＭ−ＱＡＭ）に基づいて変調され（即ちシンボルマッピングされる（ｓｙｍｂｏｌ  ｍａｐｐｅｄ））、変調シンボルを提供する。各データストリームのデータ速度、符号化、および変調は、プロセッサ２３０によって実行される指示によって決まることができる。
【００１６】
次いで、全てのデータストリームの変調シンボルがＴＸ  ＭＩＭＯプロセッサ２２０に提供され、変調シンボルを更に処理することができる（例えばＯＦＤＭ）。次いで、ＴＸ  ＭＩＭＯプロセッサ２２０は、ＮＴ変調シンボルストリームをＮＴ送信機（ＴＭＴＲ）２２２ａ〜２２２ｔに提供する。ある実施形態では、ＴＸ  ＭＩＭＯプロセッサ２２０は、ビーム形成重み（ｂｅａｍｆｏｒｍｉｎｇ  ｗｅｉｇｈｔ）をデータストリームのシンボルおよびシンボルが送信されるアンテナに提供する。
【００１７】
各送信機２２２は、各々のシンボルストリームを受信して処理し、１つ以上のアナログ信号を提供し、これらのアナログ信号を更に調節し（例えば、増幅、フィルタリング、およびアップコンバートする）、ＭＩＭＯチャネルで送信するのに好適な変調信号を提供する。次いで、送信機２２２ａ〜２２２ｔからのＮＴ変調信号は、ＮＴアンテナ２２４ａ〜２２４ｔからそれぞれ送信される。
【００１８】
受信機システム２５０では、送信された変調信号は、ＮＲアンテナ２５２ａ〜２５２ｒによって受信され、各アンテナ２５２から受信した信号は、各々の受信機（ＲＣＶＲ）２５４ａ〜２５４ｒに提供される。各受信機２５４は、各々の受信した信号を調節し（例えば、フィルタリング、増幅、およびダウンコンバートする）、調節された信号をデジタル化してサンプルを提供し、サンプルを更に処理して対応の「受信した（ｒｅｃｅｉｖｅｄ）”  」シンボルストリームを提供する。
【００１９】
次いで、ＲＸデータプロセッサ２６０は、特定の受信機処理技術に基づいてＮＲ受信機２５４からＮＲ受信シンボルストリームを受信して処理し、ＮＴ「検出した（ｄｅｔｅｃｔｅｄ）」シンボルストリームを提供する。次いで、ＲＸデータプロセッサ２６０は、各検出されたシンボルストリームを復調し、デインターリーブし、且つ復号化して、データストリームのトラフィックデータを復元する。ＲＸデータプロセッサ２６０による処理は、送信機システム２１０でＴＸ  ＭＩＭＯプロセッサ２２０およびＴＸデータプロセッサ２１４によって実行される処理と相補的である。
【００２０】
プロセッサ２７０は、どのプリコーディングマトリクスを用いるかを周期的に決定する（後述される）。プロセッサ２７０は、マトリクスインデックス  （ｍａｔｒｉｘ  ｉｎｄｅｘ）部分とランク値（ｒａｎｋ  ｖａｌｕｅ）部分を含む逆方向リンクメッセージを定式化（ｆｏｒｍｕｌａｔｅ）する。
【００２１】
逆方向リンクメッセージは、通信リンクおよび／または受信したデータストリームに関する情報の種々のタイプを含むことができる。次いで、逆方向リンクメッセージは、ＴＸデータプロセッサ２３８によって処理され、  これはデータソース２３６から複数のデータストリームのトラフィックデータも受信し、変調器２８０によって変調され、受信機２５４ａ〜２５４ｒによって調節されて受信機システム２１０に返送される。
【００２２】
送信システム２１０では、受信機システム２５０からの変調された信号は、アンテナ２２４によって受信され、受信機２２２によって調節され、復調器２４０によって復調され、ＲＸデータプロセッサ２４２によって処理され、受信機システム２５０によって送信された逆方向リンクメッセージを抽出する。次いで、プロセッサ２３０は、ビーム形成重みを決定するのにどのプリコーディングマトリクスを用いるかを決め、次いで抽出されたメッセージを処理する。
【００２３】
図３を用いて説明する。この図は、本発明の１つの実施形態に基づいた、通信装置の代替的な簡略化した機能的なブロック図を表している。図に表されるように、無線通信システムの通信装置３００は、図１のＵＥ（またはＡＴ）１１６および１２２を実現するのに用いられることができ、無線通信システムは、ＬＴＥシステムが好ましい。通信装置３００は、入力デバイス３０２、出力デバイス３０４、制御回路３０６、中央処理装置（ＣＰＵ）３０８、メモリ３１０、プログラムコード３１２、および送受信機３１４を含み得る。制御回路３０６は、ＣＰＵ３０８によってメモリ３１０内のプログラムコード３１２を実行して、通信装置３００の動作を制御する。通信装置３００は、キーボードまたはキーパッドなどの入力装置３０２を介してユーザーによって入力された信号を受信することができ、モニタまたはスピーカーなどの出力装置３０４を介して、画像および音声を出力することができる。送受信機３１４は、無線信号を受信および送信するのに用いられ、受信した信号を制御回路３０６に送り、無線で制御回路３０６によって生成された信号を出力する。
【００２４】
図４は、本発明の１つの実施形態に基づく、図３に表されたプログラムコード３１２の簡略ブロック図である。本実施形態では、プログラムコード３１２は、アプリケーション層４００、第３層４０２、及び第２層４０４を含み、第１層４０６に接続される。第３層４０２は、通常、無線リソース制御を行う。第２層４０４は、通常、リンク制御を行う。第１層４０６は、通常、物理接続を行う。
【００２５】
「Enhancement  of  Minimization  of  Drive  Tests  for  E-UTRAN  and  UTRAN」（３ＧＰＰ  ＲＰ−１２０２７７）の作業項目は、現在第１１版用に討論中である。
サービス品質（ＱｏＳ）の向上は、ドライブテストの最小化（ＭＤＴ）の強化の１つの重要領域である。３ＧＰＰ  ＲＰ−１２０２７７は、以下の態様がサービス品質（ＱｏＳ）のために考慮されるべきことを述べている。
・  例えば受信可能範囲の不足、頻繁な接続リカバリ、または頻繁なハンドオーバーにおける、ユーザーが認識する非有効性（ｕｓｅｒ−ｐｅｒｃｅｉｖｅｄ  ｎｏｎ−ａｖａｉｌａｂｉｌｉｔｙ）の接続を考慮に入れるべきである。実際の受信可能範囲は、主に受信可能範囲の最適化の使用のケースに定義された他の（ＱｏＳでない）測定と検証されると考えられる。
【００２６】
よって、３ＧＰＰ  Ｒ２−１２０５０７およびＲ２−１２１５９８に見られるように、ＭＤＴアクセシビリティの測定の討論は、この観点に基づいて引き起こされる。ＭＤＴアクセシビリティの測定のためのいくつかの協議は、ＲＡＮ２＃７７ｂｉｓ会議期間（ＲＡＮ２−７７ｂｉｓ会議記録に見られるように）に行われ、
・  失敗した無線リソース制御（ＲＲＣ）接続の確立のロギングは、ＬＴＥおよび第３世代移動体通信システム（ＵＭＴＳ）にサポートされる。即ち、ＲＲＣ接続の確立手順が失敗した時、ログが確立される
・  ドライブテストの最小化（ＭＤＴ）ログがランダムアクセスチャネル（ＲＡＣＨ）手順が成功していないか、またはＴ３００がタイムアウトになっていないかを判定させるべきかどうかを将来の研究にする
・  ユーザー端末は、失敗したＲＲＣ接続確立を常にログするべきである。即ちＮＷは、このログを明確に設定する必要がない
・  これをログされたＭＤＴの報告として、または別の手順、例えば無線リンク障害（ＲＬＦ）の報告として実現するかどうかを将来の研究にする
【００２７】
現在の協議に基づき、ログは、どんな理由にしてもＲＲＣ接続の確立手順が失敗した時、確立される。失敗したＲＲＣ接続の確立をロギングする目的は、ネットワークへのアクセシビリティ問題の発生を報告することである。次いで、ネットワークは報告された情報を分析し、問題が再度生じるのを防ぐ試みをする。
【００２８】
しかしながら、この機構のコストは、少なくとも情報を保存するのに用いられるＵＥのメモリの占有および除プ方を送信するのに用いられる無線リソースの消費を含む。よって、上記のＲＲＣ接続の確立の毎回の失敗をログし、報告する価値があるかどうかを確定するように、慎重な評価がされるべきである。現在のＬＴＥ  ＲＲＣ規格（３ＧＰＰ  ＴＳ３６.３３１  Ｖ１０．５．０）では、ＲＲＣ接続の確立手順は、失敗する。例えば以下のケースにＲＲＣ接続の確立を失敗する：
・  ＵＥが接続の確立を試みたセルによるアクセス禁止
・  ＲＲＣ接続の確立手順期間に、セルの再選択が生じる
・      
タイマーＴ３００のタイムアウト、および
・  ＲＲＣ接続拒否（ＲＲＣＣｏｎｎｅｃｔｉｏｎＲｅｊｅｃｔ）メッセージの受信
【００２９】
下記は、異なる失敗のケースに対してロギングが有益かどうかの評価である：
2013223248.tif 000003
【００３０】
一般的に、本発明の概念は、失敗の原因に基づいてＲＲＣ接続確立の失敗のロギングを実行するかどうかを決めることである。  例えば、その原因がタイマーＴ３００のタイムアウトである場合、その失敗はログされることができ、その原因がＲＲＣＣｏｎｎｅｃｔｉｏｎＲｅｊｅｃｔ）メッセージの受信である場合、その失敗はログされることができないか、またはその原因がアクセス禁止またはセルの再選択である場合、その失敗はログされることもログされないこともできる。
【００３１】
１つの実施形態では、アクセス禁止によって生じたＲＲＣ接続確立の失敗をロギングした時、いくつかの特定の情報もログされるべきである。特定の情報は、接続確立の原因であることができる（例えば、３ＧＰＰ  ＴＳ３６.３３１  Ｖ１０．５．０に定められたようなモバイル着信呼、緊急呼び出し、モバイル着信呼、モバイル発信呼、またはモバイル発信回線交換（ＣＳ）フォールバック）。これらの特定の情報は、タイマー（例えば、３ＧＰＰ  ＴＳ３６.３３１  Ｖ１０．５．０に定められたようなＴ３０３、Ｔ３０５、またはＴ３０６）が動作するかどうかであることもできる。また、この特定の情報は、どの種類のアクセス禁止が適用するかであることもできる。この特定の情報に基づいて、ネットワークはこのアクセス禁止パラメータを調整することができ、アクセシビリティを向上させることができる。
【００３２】
もう１つの実施形態では、セルの再選択によって生じたＲＲＣ接続確立の失敗をロギングした時、いくつかの特定の情報もログされるべきである。特定の情報は、セルの再選択のターゲットセルであることができる。これらの特定の情報はＵＥの移動状態、例えば高速移動状態、中速移動状態、または通常移動状態（３ＧＰＰ  ＴＳ３６.３３１  Ｖ１０．５．０に定められたように）であることもできる。また、ＵＥの移動状態は、詳細の位置情報が得られない時、ログされる可能性がある。この特定の情報に基づいて、ネットワークは受信可能範囲の発展またはセルの再選択のパラメータを調整することができ、ピンポン問題を防止するアクセシビリティを向上させることができる。
【００３３】
同様の概念がＵＭＴＳ（３ＧＰＰ  ＴＳ２５.３３１  Ｖ１０．７．０に定められたように）に用いられることもできる。失敗の原因がＲＲＣ接続要求メッセージを送信する再試行が特定値（例えばＶ３００がＮ３００より大きい）に達したことにある場合、ＲＲＣ接続確立の失敗がログされることができる。失敗の原因がＲＲＣ接続拒否メッセージに含まれるゼロ（０）の値の情報要素「待ち時間」を受信することにある場合、ＲＲＣ接続確立の失敗がログされない。それは、待ち時間をゼロ（０）に設定することによってＵＥを拒否するケースがネットワークによって認識されているためである。
【００３４】
図５は、１つの例示的な実施形態に基づいたフローチャート５００である。ステップ５０５では、無線リソース制御（ＲＲＣ）接続の確立手順の失敗の発生が検出される。ステップ５１０では、ＲＲＣ接続の確立手順の失敗は、その失敗が第１の原因で生じた場合、ログされる。また、第２のＲＲＣ接続の確立手順の失敗は、その失敗が第２の原因で生じた場合、ログされない。ステップ５１５では、エラーログは、第１のＲＲＣ接続の確立手順に連結する。
【００３５】
１つの実施形態では、第１の原因は、１つ以上の原因であることができ、（ｉ）第１のＲＲＣ接続の確立手順期間にタイマーＴ３００がタイムアウトする、（ｉｉ）第１のＲＲＣ接続の確立手順期間にセル再選択が発生する、および／または（ｉｉｉ）ＲＲＣ接続要求メッセージを送信する再試行が特定値（例えばＶ３００がＮ３００より大きい）に達するのを含む。第１の原因は、ＵＥがキャンプオンしているセルへのアクセスが禁止されていることでもあり得、且つアクセス禁止は待ち時間（例えば、タイマーＴ３０２が動作していない）によるものでない可能性がある。
【００３６】
１つの実施形態では、第１のＲＲＣ接続の確立手順の失敗のロギングは、（ｉ）第１の原因をロギングする、（ｉｉ）ＵＥの詳細な位置情報をロギングする、（ｉｉｉ）第１のＲＲＣ接続の確立手順が接続を試みるセルの情報（例えばセルＩＤ）をロギングする、（ｉｖ）タイムスタンプをロギングする、および／または（ｖ）エラーログがＲＲＣ接続の確立手順用であるかの指示をロギングするのを含むことができる。また、下記の情報、（ｉ）第１のＲＲＣ接続の確立手順に対応するランダムアクセス（ＲＡ）手順内のプリアンブル伝送数、（ｉｉ）接続確立の原因、（ｉｉｉ）アクセス禁止に関するタイマーの状態（動作中かどうか）、（ｉｖ）一種のアクセス禁止の適用性、（ｖ）セル再選択のターゲットセル、および／または（ｖｉ）ＵＥの移動性（例えば、ＵＥの詳細な位置情報が使用不可の場合）がログされることができる。また、ログされた情報は、第１のＲＲＣ接続の確立の失敗のエラーログと連結している。
【００３７】
１つの実施形態では、第２の原因は、１つ以上の原因であることができ、（ｉ）第２のＲＲＣ接続の確立手順期間にセル再選択が発生する、（ｉｉ）第２のＲＲＣ接続の確立手順のＲＲＣＣｏｎｎｅｃｔｉｏｎＲｅｊｅｃｔメッセージを受信する、および／または（ｉｉｉ）ＲＲＣ接続拒否メッセージに含まれるゼロ（０）の値の情報要素「待ち時間」を受信するのを含む。第２の原因は、ＵＥがキャンプオンしているセルへのアクセスが禁止されていることでもあり得、且つアクセス禁止は待ち時間（例えば、タイマーＴ３０２が動作していない）によるものである可能性がある。
【００３８】
図３と図４を再度参照下さい。ユーザー端末３００は、メモリ３１０に保存されたプログラムコード３１２を含む。１つの実施形態では、ＣＰＵ３０８は、プログラムコード３１２を実行し、エラーログで、第１の原因によって生じた第１のＲＲＣ（無線リソース制御）接続の確立手順の失敗をログし、且つ第２の原因によって生じた第２のＲＲＣ接続の確立手順の失敗をロギングしないことができる。
【００３９】
また、ＣＰＵ３０８は、プログラムコード３１２を実行し、全ての上述の動作及びステップまたはここに述べられたその他を実行することができる。
【００４０】
この開示の種々の態様は上記に記述されている。ここでの教示が種々様々の形式で具体化されてもよいこと、及び、ここに開示されている任意の特定の構造、機  能、または両方は単に代表に過ぎないことは明らかである。ここでの教示に基づいて、当業者は、ここで開示されたある態様が他の態様と無関係に実行され、２つ以上のこれらの態様が種々の方法で合成されてもよいことを認識するべきである。例えば、ここで説明された任意の数の態様を用いて、装置は実装されてもよいし、または方法は実践されてもよい。更に、他の構造、機能性、またはここで説明された態様の１つ以上に加えてまたはこれら以外での構造及び機能性を用いて実行されてもよい。上記の概念の中のいくつかの例として、いくつかの態様では、同時チャネルはパルス繰返周波数に基づいて確立されてもよい。ある態様  では、同時チャネルはパルス繰返し周波数に基づいて確立されてもよい。ある態様では、同時チャネルは時間ホッピングシーケンスに基づいて確立されてもよい。ある態様では、同時チャネルは、パルス繰返周波数、パルス位置またはオフセット、及び時間ホッピングシーケンスに基づいて確立されてもよい。
【００４１】
情報及び信号は、様々な異なる技術及び技法のうちのいずれかを使用して表され得ることを当業者は理解するであろう。例えば、以上の説明の至るところで参照され得るデータ、命令、コマンド、情報、信号、ビット、記号、及びチップは、電圧、電流、電磁波、磁場もしくは磁性粒子、光場もしくは光粒子、またはそれらの任意の組み合わせによって表され得る。
【００４２】
当業者は、種々の例示的な論理ブロック、モジュール、プロセッサ、手段、回路、及びここで開示された態様に関連して記述されたアルゴリズムステップが電子  ハードウェア（例えば、デジタル実装、アナログ実装またはソースコーディングまたは他のいくつかの技術を用いて設計されてもよい２つの組み合わせ）、命令  を取り込むプログラムまたは設計コードの種々の形式（ここでは利便性上、「ソフトウェア」または「ソフトウェアモジュール」と呼ぶ）、または、この両方の  組み合わせとして実装されてもよいことを更に認識するだろう。ハードウェア及びソフトウェアのこの交換可能性を明瞭に例示するために、様々な例示的な要素、ブロック、モジュール、回路、及びステップが、一般的に、それらの機能性に関して記述されている。これらの機能性がハードウェアまたはソフトウェアとして実装されるかどうかは、システム全体に課せられた特定の応用及び設計制約に依存する。当業者は、記述された機能性を、それぞれの特定の応用に関して様々な方法で実装してもよいが、このような実装決定は、本開示範囲からの逸脱を引き起こすと解釈されるべきではない。
【００４３】
ここで開示された態様に関連して記述される種々の例示の論理ブロック、モジュール、及び回路は、集積回路（「ＩＣ」）内に実装されてもよいし、ＩＣによって実行されてもよい。ＩＣは、汎用プロセッサ、デジタル信号プロセッサ（ＤＳＰ）、特定用途向け集積回路（ＡＳＩＣ）、フィールドプログラマブルゲートア  レイ（ＦＰＧＡ）または他のプログラマブルロジックデバイス、個別のゲートまたはトランジスタロジック、個別のハードウェア構成機器、電子的コンポーネント、光学コンポーネント、機械的なコンポーネントまたはここに記述された機能を行うことを目指した任意のそれらの組み合わせを具備してもよく、またＩＣ内部、ＩＣ外部、またはその両方に存在するコードまたは命令を実行してもよい。汎用プロセッサはマイクロプロセッサでもよいが、代わりに、プロセッサは任意の従来のプロセッサ、コントローラ、マイクロコントローラまたは状態機械でもよい。プロセッサはまた、コンピューティング装置の組み合わせ（例えば、ＤＳＰとマイクロプロセッサの組み合わせ、複数のマイクロプロセッサ、ＤＳＰコアと連動する１以上のマイクロプロセッサ、または任意の他のそのような構  成）として実装されてもよい。
【００４４】
任意の開示されたプロセスにおける任意の特定の順序またはステップの階層が、サンプルアプローチの例であることは理解される。設計選択に基づいて、プロセスにおける任意の特定の順序またはステップの階層が、本開示の範囲内にありつつ再整理されてもよいことは理解される。伴う方法は、サンプル順序での種々の  ステップの現在の要素を請求し、現在の特定の順序またはステップの階層に限定することを意味しない。
【００４５】
ここで開示された態様に関連して記述された方法またはアルゴリズムのステップは、直接ハードウェアで、プロセッサによって実行されるソフトウェアモジュール、または２つの組み合わせにおいて具現化されてもよい。（例えば、実行可能命令及び関連するデータを含む）ソフトウェアモジュール及び他のデータは、  ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、  ＣＤ−ＲＯＭ、または当技術において既知のコンピュータ読取可能記憶媒体の任意の他の形式のようなデータメモリに存在してもよい。サンプル記憶媒体は、例えば（利便性上ここでは「プロセッサ」と呼ばれてもよい）コンピュータ／プロセッサのような機械につながれてもよく、そのようなプロセッサは情報（例えば  コード）を記憶媒体から読み出し、記憶媒体へ書き込みすることができる。サンプル記憶媒体はプロセッサに不可欠かもしれない。プロセッサ及び記憶媒体はＡＳＩＣ内に存在してもよい。ＡＳＩＣはユーザー機器に存在してもよい。代替案では、プロセッサと記憶媒体はユーザー機器において個別部品として存在してもよい。更に、いくつかの態様では、いずれか適切なコンピュータプログラム製品も、この開示の態様の１つ以上に関連するコードを具備するコンピュータ読  取可能媒体を具備してもよい。ある態様では、コンピュータプログラム製品は包装材料を具備してもよい。
【００４６】
この発明は種々の態様に関連して記述されているが、この発明が更なる変更ができることは理解される。本用途は、本発明の一般的な原理を用いて、本発明の任意の変形、使用または改造を含むことが意図される。更に、本用途は、本発明が属する分野において公知の、または慣例的実施の範囲内に入るような本開示からの逸脱を含むことが意図される。
【符号の説明】
【００４７】
１００  アクセスネットワーク
１０４、１０６、１０８、１１０、１１２、１１４  アンテナ
１１６  アクセス端末（ＡＴ）
１１８  リバースリンク
１２０  フォワードリンク
１２２  アクセス端末（ＡＴ）
１２４  リバースリンク
１２６  フォワードリンク
２１０  送信機システム
２１２  データソース
２１４  伝送（ＴＸ）データプロセッサ２１４
２２０  ＴＸ  ＭＩＭＯプロセッサ
２２２ａ〜２２２ｔ  送信機
２２４ａ〜２２４ｔ  アンテナ
２３０  プロセッサ
２３２  メモリ
２３６  データソース
２３８  ＴＸデータプロセッサ
２４２  ＲＸデータプロセッサ
２４０  復調器
２５０  受信機システム
２５２ａ〜２５２ｒ  アンテナ
２５４ａ〜２５４ｒ  送信機  
２６０  ＲＸデータプロセッサ
２７０  プロセッサ
２７２  メモリ
２８０  変調器
３００  通信装置
３０２  入力デバイス
３０４  出力デバイス
３０６  制御回路
３０８  中央処理装置（ＣＰＵ）
３１０  メモリ
３１２  プログラムコード
３１４  送受信機
４００  アプリケーション層
４０２  第３層
４０４  第２層
４０６  第１層
５００  フローチャート
５０５、５１０、５１５  ステップ
【図１】
2013223248.tif 000004
【図２】
2013223248.tif 000005
【図３】
2013223248.tif 000006
【図４】
2013223248.tif 000007
【図５】
2013223248.tif 000008
【外国語明細書】
2013223248000001.pdf